(57)【要約】【課題】  互いに契合可能な雄雌一対の爪構造で構成されるチャックテープの爪構造部分に液状潤滑剤を所望の一定の塗布厚さに調整して均一に塗布する方法を提供する。【解決手段】  チャックテープ１１、１１′の少なくとも一方の爪構造１２、１２′と、一定の含浸率で液状潤滑剤を含浸させた多孔質テープ２１とを交差角度θで互いに交差して配置し、交差部分において、多孔質テープの一方の表面と、少なくとも一方の爪構造とを、一定の接触圧力で接触させた状態を保ちながら、それぞれ一定の速度で移動させつつ、爪構造を有するチャックテープと多孔質テープとの相対速度を変えることによってチャックテープの爪構造に塗布される液状潤滑剤の塗布量を調節する。【選択図】  図1
2010162469.tif 000002
【特許請求の範囲】
【請求項１】
テープ状に形成され互いに契合可能な雄雌一対の爪構造を有するチャックテープの爪構造に液状潤滑剤を塗布する際に、前記チャックテープの少なくとも一方の爪構造と、一定の含浸率で前記液状潤滑剤を含浸させた多孔質テープとを互いに交差して配置し、該交差部分において、前記多孔質テープの一方の表面と、前記少なくとも一方の爪構造とを、一定の接触圧力で接触させた状態を保ちながら、それぞれ一定の速度で移動させつつ、前記爪構造を有するチャックテープと前記多孔質テープとの相対速度を変えることによってチャックテープの爪構造に塗布される液状潤滑剤の塗布量を調節することを特徴とするプラスチックチャックの爪構造表面への液状潤滑剤の塗布方法。
【請求項２】
前記交差部分において、前記雄雌一対の爪構造のそれぞれを前記多孔質テープの一方の表面と他方の表面にそれぞれ一定の接触圧力で接触させることを特徴とする請求項１に記載の液状潤滑剤のプラスチックチャックの爪構造表面への塗布方法。
【請求項３】
前記多孔質テープに含浸させる液状潤滑剤の含浸率が８５％以内の一定の含浸率であることを特徴とする請求項１または２に記載の液状潤滑剤のプラスチックチャックの爪構造表面への塗布方法。
【請求項４】
前記多孔質テープに、液状潤滑剤と揮発性の有機溶媒との混合物を含浸させた後に、前記揮発性の有機溶媒を蒸発させることを特徴とする請求項１から３の何れか１項に記載の液状潤滑剤のプラスチックチャックの爪構造表面への塗布方法。
【請求項５】
前記多孔質テープが不織布であることを特徴とする請求項１から４の何れか１項に記載の液状潤滑剤のプラスチックチャックの爪構造表面への塗布方法。
【請求項６】
前記液状潤滑剤がシリコーンオイル、グリセリン、プロピレングリコールから選ばれたものであることを特徴とする請求項１から４の何れか１項に記載の液状潤滑剤のプラスチックチャックの爪構造表面への塗布方法。
【請求項７】
互いに契合可能な雄雌一対の爪構造を具備したプラスチックチャックにおいて、前記互いに契合可能な雄雌一対の爪構造の少なくとも一方の表面に、０．０３μｍ以上、０．５μｍ以下の厚さで液状潤滑剤が塗布されていることを特徴とする液状潤滑剤が塗布されたプラスチックチャック。
【請求項８】
前記プラスチックチャックが、前記雄雌一対の爪構造の契合部とは別に、雄鈎爪の内側および雌鈎爪の内側にそれぞれ結合可能なシール部が形成されていることを特徴とする請求項７に記載の液状潤滑剤が塗布されたプラスチックチャック。
【発明の詳細な説明】
【技術分野】
【０００１】
本発明は、プラスチックチャックの爪構造表面への液状潤滑剤の塗布方法および液状潤滑剤が塗布されたプラスチックチャックに関する。より詳しくは、本発明は、食品、薬品、電子部品の包装容器に使用される複数回の開閉後でも密閉性を保ちながら開口が容易で再封止可能なプラスチックチャックの爪構造表面に潤滑剤を所望の厚さに調整して均一に塗布する方法に関する。さらに、本発明は、前記プラスチックチャックに開閉用のスライダーを装着したスライダー付プラスチックチャックにおけるプラスチックチャックの爪構造表面要部に潤滑剤を所望の厚さで且つ均一に塗布する方法に関する。
【背景技術】
【０００２】
特許文献１（実用新案登録第２６０５４８５号公報）には、雄部材と雌部材とを有して開閉自在に構成された咬合具であって、雄部材と雌部材とが嵌合する際に接触する部分の少なくとも一部に滑り性向上材のシリコーン油を塗布して雄部材と雌部材とをスムーズに再嵌合させることができる咬合具が開示されている。
【０００３】
さらに、特許文献１には、雄部材の頭部の先端部分をシリコーン油が含浸されたフェルトに接触させることにより、シリコーン油を連続的に塗布したことが記載され、シリコーン油を咬合具の雄部材と雌部材の接触面に１〜１０μｍの塗布厚で塗布することがよいことが開示されている。なお、特許文献１によると咬合具に１０μｍを越える厚さで塗布すると、シリコーン油が垂れ下がって咬合具の嵌合が悪くなると記載されている。
【０００４】
しかし、特許文献１には、雄部材の頭部の先端部分をシリコーン油が含浸されたフェルトに接触させると開示されているのみであり、塗布厚さの調整方法や塗布厚さを均一とする方法については全く開示されていない。
【０００５】
本発明者の検討によれば、咬合具の爪構造表面に１μｍ程度の厚さでシリコーン油を塗した場合であっても、プラスチックチャック取扱者の手指が塗布部分に接触するとシリコーン油が接触した手指に転写されて接触した部分がシリコーン油で汚染されるという欠点がある。
【０００６】
さらに、咬合具付の袋体にあっては、袋体を構成するフイルムと共に咬合具の端部をヒートシールして袋体を形成するが、その際に咬合具に１μｍの塗布厚さであっても塗布されたシリコーン油の影響で溶着不良部分が生じ、その溶着不良部分から袋体の収納物の漏れが生ずるという欠点がある。
【０００７】
特許文献１の咬合具は、咬合具を閉止しても気密性は保てない。そこで、本発明者は特許文献２（特許第２９３８７８４号公報）において、プラスチックフィルムの表面に形成された雌雄一対の鈎爪を有するプラスチックチャックにおいて、チャックのロック部とは別に、雄鈎爪の内側及び雌鈎爪の内側にそれぞれ結合可能なシール部を形成したプラスチックチャックを開示した。
【０００８】
この特許文献２において本発明者が開示したプラスチックチャックでは、雄鈎爪と雄鈎爪の内部に結合可能なシール部を設けているのでプラスチックチャックは気密性がある。
【０００９】
しかし、特許文献２に開示されたようなプラスチックチャックを具備した袋体においては、プラスチックチャックのシール部の表面において、袋体に収納したガスの分子よりもやや大きい凹凸ができる。このため、分子サイズの小さいガスなどが袋体に収納されている場合には、雄鈎爪と雄鈎爪の内部の結合可能なシール部のシール圧力が低いと、ガスがシール部を僅かに透過することがある。ガスの透過を防ぐためにシール部のシール圧を高めると、チャックの閉止のために大きな力が必要となり、子供や老人にとり使い難いという問題がある。
【００１０】
また本発明者は、特許文献２に開示されたような開口強度がきわめて大きいチャックにあってもスライダーの開口力を大幅に増加できるスライダー付きプラスチックチャクとして特許文献３（国際公開第ＷＯ０３／０２２６９７号公報）を提案した。
【００１１】
すなわち、特許文献３においては、密閉用チャックの雌雄爪それぞれの開口部側にフランジを設け、それぞれのフランジの端部を接続し、契合状態にある密閉用チャックと接続されたフランジ部分で構成される閉鎖されたプラスチック筒の内部に楔状の開口プレートを押し込むことによって先ず密閉用チャックを開口し、該チャックを開口した後に閉止状態にあるフランジの上部を開口するようにしたスライダー付きプラスチックチャクが開示されている。
【００１２】
しかし、特許文献３で開示したような小型で強力なスライダーをプラスチックチャックに装着した場合には、シール部のシール圧を高めると、依然としてチャックの開閉時にスライダーが重くなることがある。
さらに、特許文献２や特許文献３に開示されたような雄鈎爪と雄鈎爪の内部に結合可能なシール部を設けたプラスチックチャックの場合は、押出成型した後にプラスチック材料中に分散した滑材がプラスチック表面に析出するまではプラスチックチャックの雌雄鈎爪の嵌合ができない。このため、押出成型後に滑材がプラスチック表面に析出するまでの時間、エージングすることが必要となり、生産効率が低下する欠点がある。
【先行技術文献】
【特許文献】
【００１３】
【特許文献１】実用新案登録第２６０５４８５号公報
【特許文献２】特許第２９３８７８４号公報
【特許文献３】国際公開第ＷＯ０３／０２２６９７号公報
【発明の概要】
【発明が解決しようとする課題】
【００１４】
本発明は、上述した従来技術に付随する問題を解決できるプラスチックチャックの爪構造表面への液状潤滑剤の塗布方法および液状潤滑剤が塗布されたプラスチックチャックを提供することを目的とする。
【００１５】
また、本発明の目的は、互いに契合可能な雄雌一対の爪構造で構成されるチャックテープの爪構造部分に液状潤滑剤を所望の一定の塗布厚さに調整して均一に塗布する方法を提供することにある。
【００１６】
さらに、本発明は、互いに契合可能な雄雌一対の爪構造で構成されるチャックテープの爪構造部分に液状潤滑剤を高速で塗布する方法を提供することにある。
【００１７】
また、本発明は、プラスチックチャック取扱者の手指が液状潤滑剤の塗布部分に接触しても、プラスチックチャックの取扱者の手指が接触した部分の液状潤滑剤によって手指などか汚染されないチャックテープを提供することにある。
【００１８】
さらに、本発明は、チャックテープの爪構造部分に液状潤滑剤を所望の十分に薄く一定の塗布厚さに調整して均一に塗布することにより、シール部のシール圧を高めなくともガスの透過を防止することができ、チャックの開閉時にスライダーが重くなることも起こらないチャックテープを提供する。
【課題を解決するための手段】
【００１９】
本発明によれば、上記の目的を、テープ状に形成され互いに契合可能な雄雌一対の爪構造を有するチャックテープの爪構造に液状潤滑剤を塗布する際に、前記チャックテープの少なくとも一方の爪構造と、一定の含浸率で前記液状潤滑剤を含浸させた多孔質テープとを互いに交差して配置し、該交差部分において、前記多孔質テープの一方の表面と、前記少なくとも一方の爪構造とを、一定の接触圧力で接触させた状態を保ちながら、それぞれ一定の速度で移動させつつ、前記爪構造を有するチャックテープと前記多孔質テープとの相対速度を変えることによってチャックテープの爪構造に塗布される液状潤滑剤の塗布量を調節することを特徴とする液状潤滑剤の塗布方法により達成する。
【００２０】
この場合に、前記雄雌一対の爪構造の表面に個別に液状潤滑剤を塗布してもよい。しかし、前記交差部分において、前記雄雌一対の爪構造のそれぞれを前記多孔質テープの一方の表面と他方の表面にそれぞれ一定の接触圧力で接触させることにより、雄雌一対の爪構造に同時に塗布することができる。
【００２１】
前記多孔質テープに含浸させる液状潤滑剤の含浸率が８５％以内の一定の含浸率であることが好ましい。また、前記多孔質テープに液状潤滑剤を均一に含浸させるために、液状潤滑剤と揮発性の有機溶媒との混合物を多孔質テープに含浸させた後に、前記揮発性の有機溶媒を蒸発させることが好ましい。前記多孔質テープが不織布、例えば、ポリエステル不織布であることが好ましい。前記液状潤滑剤がシリコーンオイル、グリセリン、プロピレングリコールから選ばれたものであることが好ましい。
【００２２】
さらに、本発明により、互いに契合可能な雄雌一対の爪構造を具備したプラスチックチャックにおいて、前記互いに契合可能な雄雌一対の爪構造の少なくとも一方の表面に、０．０３μｍ以上、０．５μｍ以下の厚さで液状潤滑剤が塗布されていることを特徴とするプラスチックチャックが提供される。
【００２３】
また、前記プラスチックチャックには、前記雄雌一対の爪構造の契合部とは別に、雄鈎爪の内側および雌鈎爪の内側にそれぞれ結合可能なシール部が形成されていてもよい。
【発明の効果】
【００２４】
本発明によれば、一定の含浸率で前記液状潤滑剤を含浸させた多孔質テープとを互いに交差して配置し、爪構造を有するチャックテープと前記多孔質テープとの相対速度を変えることによって、上述した従来技術に付随する問題を解決して、互いに契合可能な雄雌一対の爪構造で構成されるチャックテープの爪構造部分に液状潤滑剤を所望の一定の塗布厚さに調整して均一に塗布することができる方法が提供される。
【００２５】
さらに、本発明によれば、チャックテープと前記多孔質テープとを一定の接触圧力で接触させた状態を保ちながら、それぞれ一定の速度で移動させるので、互いに契合可能な雄雌一対の爪構造で構成されるチャックテープの爪構造部分に液状潤滑剤を高速で塗布することができる方法が提供される。
【００２６】
また、本発明によれば、雄雌一対の爪構造の少なくとも一方の表面に、例えば、０．０３μｍ以上、０．５μｍ以下の厚さという、十分に薄く液状潤滑剤が塗布されるので、プラスチックチャック取扱者の手指が液状潤滑剤の塗布部分に接触しても、プラスチックチャックの取扱者の手指などの接触した部分が液状潤滑剤によって汚染されないチャックテープが提供される。
【００２７】
さらに、本発明によれば、チャックテープの爪構造部分に液状潤滑剤を所望の十分に薄く一定の塗布厚さに調整して均一に塗布することにより、シール部のシール圧を高めなくともガスの透過を防止することができ、チャックの開閉時にスライダーが重くなることも起こらないチャックテープが提供される。
【００２８】
加えて、本発明により、液状潤滑剤の塗布厚さを０．５μｍ以下、望ましくは０．２μｍ以下とすることにより、液状潤滑剤の影響でチャックの鈎爪部分の溶着不良部分が発生することがない。
また、雄鈎爪と雄鈎爪の内部に結合可能なシール部を設けたプラスチックチャックを押出成型する際に、チャックを押出成型した直後に本発明の方法で少なくとも０．０３０μｍ、望ましくは０．０５μｍ以上の厚さでの液状潤滑剤皮膜を均一に塗布すれば、塗布時点でチャックの嵌合が可能となり、エージングが不要となるため、生産効率が著しく向上する。
【図面の簡単な説明】
【００２９】
【図１】一定の速度で移動しているチャックテープと液状潤滑剤を含浸させた多孔質テープとを交差するように配置して、交差部分で多孔質テープの両面とチャックテープの雄雌爪構造のそれぞれの表面とを一定の接触圧力で接触させる状態の一実施例を示し、（ａ）は斜視図、（ｂ）は（ａ）のＢ−Ｂ矢視図である。
【図２】一定の速度で移動しているチャックテープと液状潤滑剤を含浸させた多孔質テープとを交差するように配置して、交差部分で多孔質テープの一方の表面とチャックテープの一方の爪構造の表面とが一定の接触圧力で接触した状態の一実施例を示し、（ａ）は斜視図、（ｂ）は（ａ）のＡ−Ａ矢視図である。
【図３】一本のチャックテープに対して多孔質テープを２セット設けている実施例を示し、（ａ）は断面図であり、図１のＣ−Ｃ断面に相当する。（ｂ）は（ａ）のＡ−Ａ矢視図である。
【発明を実施するための形態】
【００３０】
以下、添付図面を参照して、本発明の実施の形態を詳しく説明する。図１には、テープ状に形成され、互いに契合可能な雄雌一対の爪構造１２、１２′を有するチャックテープ１１、１１′が示されている。
【００３１】
図１（ａ）は、本発明の一実施例の斜視図であり、一定の速度Ｖ１で移動しているチャックテープ１１、１１′と液状潤滑剤を含浸させ一定の速度Ｖ２で移動している多孔質テープ２１とを交差するように配置している。図１（ｂ）は図１（ａ）のＢ−Ｂ矢視図である。
【００３２】
上から見た場合に（平面図において）、チャックテープ１１、１１′は上下に重なって位置しており、重なったチャックテープ１１、１１′と多孔質テープ２１とは交差角度θをなして交差している。交差角度θは３０〜１５０度、好ましくは６０〜１２０度とするが、チャックテープ１１、１１′と多孔質テープ２１とはほぼ直交していてもよい。図１に示した実施例においては交差角度θは９０度に設定しており、チャックテープ１１、１１′と多孔質テープ２１とはほぼ直交している。
【００３３】
各ローラ３１、３１′の回転軸３１ａ、３１ａ′はそれぞれサーボモータや直流モータなどの公知の駆動モータ（図示せず）に連結されており、各駆動モータがそれぞれ接続された制御装置（図示せず）により所定の速度で回転され、それにより各ローラ３１、３１′は所定の一定速度で回転されてチャックテープ１１、１１′を一定の速度Ｖ１で矢印方向に移動させる。または、ローラ３１、３１′と同様に駆動モータ（図示せず）に接続された上下一対のローラ（図示せず）をローラ３１、３１′とは別に設け、それぞれ制御装置（図示せず）に接続し、この上下一対のローラによりチャックテープ１１、１１′を挟持して所定の速度Ｖ１で矢印の方向に移動させてもよい。
【００３４】
また、多孔質テープ２１は、ローラ３１、３１′と同様にそれぞれ制御装置（図示せず）に接続された駆動モータ（図示せず）に連結された上下一対のローラ（図示せず）により挟持されており、所定の一定速度Ｖ２で矢印方向に移動される。
【００３５】
さらに、上記の交差部分において、各ローラ３１、３１′などの回転軸３１ａ、３１ａ′などを回転可能に支承している軸受ハウジング（図示せず）にはそれぞれエアシリンダのような流体圧シリンダ（図示せず）やバネ（図示せず）などの押圧力付加手段が連結されており、押圧力付加手段によりチャックテープ１１、１１′、１１′の雄雌爪構造１２、１２′のそれぞれの表面（反雄雌爪構造１２、１２′側の面）に向けて所定の押圧力で上下から（すなわち、チャックテープ１１、１１′は上から下方へ、チャックテープ１１、１１′′は下から上方へ）押圧される。
【００３６】
なお、ローラ３１、３１′のうち、一方のローラ（例えば、上側のローラ３１）を定位置において回転可能に配置し、他方のローラ（例えば、上側のローラ３１′）のみをエアシリンダのような流体圧シリンダ（図示せず）、バネ（図示せず）または重錘３３（図３（ａ）参照）などの押圧力付加手段により上から下方へ（または、下から上方へ）押圧してもよい。この場合に、押圧力付加手段が重錘の場合には、上から下方へ押圧する。
【００３７】
このように、ローラ３１、３１′を押圧して、多孔質テープ２１の上下の両面２１ａ、２１ｂとチャックテープ１１、１１′の雄雌爪構造１２、１２′のそれぞれの表面とを一定の接触圧力Ｐで接触させた状態を保ち、チャックテープ１１、１１′および多孔質テープ２１をそれぞれ一定の速度Ｖ１、Ｖ２で移動させる。
【００３８】
図１に示した実施例においては、一対のチャックテープ１１、１１′の雌雄爪構造１２、１２′に同時に液状潤滑剤を塗布できる。一方、図２に示した他の実施例においては、一対のチャックテープのうちの一方のチャックテープ１１または１１′の雌雄爪構造１２または１２′に液状潤滑剤を個別に塗布するので、一対のチャックテープ１１、１１′の雌雄爪構造１２、１２′に液状潤滑剤を塗布するには同様な塗布工程を２回行うことになる。
【００３９】
図２に、一定の速度Ｖ１で矢印の方向に移動しているチャックテープ１１、１１′のうちの一方のチャックテープ（図２では、チャックテープ１１′）の一方の爪構造（図２では、雌爪構造１２′）と、液状潤滑剤が一定の含浸率ａで含浸され一定の速度Ｖ２で矢印の方向に移動している多孔質テープ２１とを交差するように配置しており、交差部分で多孔質テープ２１の一方の表面２１ｂとチャックテープ１１′の雌爪構造１２′の表面とが一定の接触圧力で接触した状態の他の実施例を示す。図２（ａ）は斜視図、図２（ｂ）は図２（ａ）のＡ−Ａ矢視図である。
【００４０】
チャックテープ１１′と多孔質テープ２１との交差角度は、図１を参照して説明した実施例と同様に設定している。この実施例においても、図１に示した実施例と同様に、交差角度θは９０度に設定しており、チャックテープ１１′と多孔質テープ２１とはほぼ直交している。
【００４１】
図１を参照して前述した実施例と同様に、図２に示す実施例においても、各ローラ３１′、３１″の回転軸３１ａ′、３１ａ″はそれぞれ駆動モータ（図示せず）に連結されており、各駆動モータがそれぞれ接続された制御装置（図示せず）により所定の速度で回転され、それにより各ローラ３１′、３１″は所定の一定速度で回転されてチャックテープ１１′および多孔質テープ２１を一定の速度Ｖ１、Ｖ２で矢印方向に移動させる。
【００４２】
別の態様として、図１に示したローラ３１、３１′と同様に駆動モータ（図示せず）に接続された上下一対のローラ（図示せず）をローラ３１、３１′とは別に設け、それぞれ制御装置（図示せず）に接続し、この上下一対のローラによりチャックテープ１１′および多孔質テープ２１を一定の速度Ｖ１、Ｖ２で矢印方向に移動させる。
【００４３】
さらに図１に示した実施例と同様に、図２に示した実施例においても、ロール３１″とロール３１′とによって、互いに直交して配置された多孔質テープ２１とチャックテープ１１′の雌爪構造１２′とを挟持し、チャックテープ１１′および多孔質テープ２１をそれぞれ上下方向に圧力Ｐで挟むことによって多孔質テープ２１の一方の表面２１ｂとチャックテープ１１′の契合可能な雌一対の爪構造の１２′とを一定の接触圧力Ｐで接触した状態を保つことができる。
【００４４】
すなわち、交差部分において、ロール３１″が多孔質テープ２１の移動方向に直交して設けられている。また、ロール３１′が雌爪構造１２′の移動方向に直交して設けられている。
【００４５】
さらに、上記の交差部分において、上述した実施例と同様に、各ローラ３１′、３１″はそれぞれエアシリンダのような流体圧シリンダ（図示せず）やバネ（図示せず）などの押圧力付加手段によりチャックテープ１１′の雌爪構造１２′の表面（反雌爪構造１２′側の面）に向けて所定の押圧力Ｐで上下から押圧される。
【００４６】
なお、ローラ３１′、３１″のうち、一方のローラ（例えば、下のローラ３１′）を定位置とし、他方のローラ（例えば、上側のローラ３１″）のみをエアシリンダのような流体圧シリンダ（図示せず）、バネ（図示せず）または重錘３３（図３（ａ）参照）などの押圧力付加手段により上から下方へ（または、下から上方へ）押圧してもよい。この場合に、押圧力付加手段が重錘の場合には、上から下方へ押圧する。
【００４７】
このように、ローラ３１′、３１″を押圧して、多孔質テープ２１の下面２１ｂとチャックテープ１１′の雌爪構造１２′の表面とを一定の接触圧力Ｐで接触させた状態を保ち、チャックテープ１１′および多孔質テープ２１をそれぞれ一定の速度Ｖ１、Ｖ２で移動させてもよい。
【００４８】
本発明者の実験に基く検討によれば、後述した実施例１および実施例２に示されるように、一定の速度Ｖ１、Ｖ２でそれぞれ移動しているチャックテープ１１、１１′と多孔質テープ２１の相対速度Ｖ１／Ｖ２を変えることによって、チャックテープ１１、１１′の雄爪構造１２および／または雌爪構造１２′に塗布される合計の液状潤滑剤の塗布量を調節することができることが判明している。
【００４９】
多孔質テープ２１の材質は、綿、麻、毛などの天然繊維若しくはポリエステル、ポリウレタン、ナイロンなどの合成繊維の織物若しくは編物、皮革または発泡プラスチックなどでもよい。しかし、含浸状態の安定性から言えば、ポリエステルなどの合成繊維の不織布が最も良い。
【００５０】
多孔質テープ２１には液状潤滑剤を一定の含浸率ａで含浸させている。本発明の方法により液状潤滑剤を雌雄爪構造１２、１２′に塗布したプラスチックチャックを使用する袋体の用途が食品や医薬品が多いことから、本発明に使用する液状潤滑剤の種類としては、食品添加物や医薬品として認可された物質とすることが好ましい。このため、本発明の液状潤滑剤としては、好ましくはシリコーンオイル、グリセリン、プロピレングリコールから選ばれる。なお、これらの物質の物性値は食品添加物や医薬品としての認可条件から公知である。
【００５１】
液状潤滑剤を一定の含浸率ａで均一に含浸させた多孔質テープ２１を作成する好ましい方法を以下に説明する。液状潤滑剤（重量Ｂｇ）と相溶性のある酢酸エチルなどの揮発性の有機溶媒（重量Ｃｇ）とを混合比率〔＝Ｂ／（Ｂ＋Ｃ）〕が概ね含浸率ａとなるようにして予め混合しておく。この混合物を、多孔質テープ２１に飽和状態で含浸させ、その後に、揮発性の有機溶媒（重量Ｂｇ）を蒸発させる。このようにして、一定の含浸率ａで液状潤滑剤を均一に含浸させた多孔質テープ２１を作成できる。なお、上記の操作では器壁に付着するなどの理由により液状潤滑剤の操作ロスが３〜５％程度あるので、このロス分は予め見込んでおく。
【００５２】
ここに、上記多孔質テープ２１に含浸される液状潤滑剤の含浸率ａとは、多孔質テープ２１における液状潤滑剤の飽和含浸量Ｉmax（ｇ潤滑剤／ｇ多孔質テープ２１）と実際の含浸量Ｉ（ｇ潤滑剤／ｇ多孔質テープ２１）との比、すなわち、含浸率ａ＝Ｉ／Ｉmaxとする。
【００５３】
含浸率ａは、多孔質テープ２１の材質や潤滑剤の種類によって多少異なるが、本発明者の検討によれば、含浸率ａは８５％以内であることが必要であり、望ましくは７０％以下とする。
【００５４】
８５％以上の含浸率ａに含浸すると含浸状態が不安定となり、含浸部分に掛かる多少の圧力や重力の影響で含浸の部分的変動が起こり、多孔質テープ２１から液状潤滑剤が垂れたり、塗布量が安定しなかったりする欠点が生ずることが認められた。
【００５５】
図３に、さらに他の実施例を示し、図３（ａ）は、図１のＣ−Ｃ断面に相当する断面図である。図３は（ｂ）は図３（ａ）のＡ−Ａ矢視図である。
【００５６】
図３では一対のチャックテープ１１、１１′に対してローラ３１、３１′および多孔質テープ２１を２セット設けている。下側のローラ３１′の回転軸３１ａ′は定位置で回転するように設けられており、上側のローラ３１の回転軸３１ａは前述した実施例と同様に重錘３３、エアシリンダのような流体圧シリンダ（図示せず）、またはバネ（図示せず）などの押圧力付加手段により上下方向に可動に設けられている。
【００５７】
図３に示す実施例においても、チャックテープ１１、１１′と多孔質テープ２１との交差角度θは、図１を参照して説明した実施例と同様に設定する。この実施例においても、図１および図２に示した実施例と同様に、交差角度θは９０度に設定しており、チャックテープ１１、１１′と多孔質テープ２１とはほぼ直交している。
【００５８】
カバー３４には、多孔質テープ２１と雌雄爪構造１２、１２′とに接触する部分が開口されている。雌雄爪構造１２、１２′部分と接触する部分を除いて、多孔質テープ２１はカバー３４（図３（ｂ）の斜線部）で覆われており、チャックテープ１１、１１′と多孔質テープ２１との接触面が雄雌爪構造１２、１２′のみに接触しチャックテープ１１、１１′の他の部分とは接触しないようにしている。
【００５９】
チャックテープ１１、１１′は矢印の方向に速度Ｖ１で移動し、二本の多孔質テープ２１は互いに連動して速度Ｖ２（図３（ｂ）参照）で矢印の方向に同一速度で移動する。この実施例の場合は、チャックテープ１１、１１′の高速移動に伴う波動によってチャックの縦方向に発生する塗布ムラを防止できるため、塗布速度を上げることができる。
【００６０】
本発明者は実験に基き、以下の事項を確認した。
（１）チャックの鈎爪部分に均一に塗布された液状潤滑剤の塗布厚さが０．５μｍ以下、望ましくは０．２μｍ以下であれば、チャックを取り扱う人の手指などが塗布部分に接触しても、液状潤滑剤の転写による手指などの汚染が発生しない。
（２）液状潤滑剤の塗布厚さが０．５μｍ以下、望ましくは０．２μｍ以下であれば、液状潤滑剤の影響でチャックの鈎爪部分の溶着不良部分が発生することがない。
（３）雄鈎爪と雄鈎爪の内部に結合可能なシール部を設けたプラスチックチャックの場合、シール部の表面に少なくとも０．０３０μｍの厚さ、望ましくは０．０５μｍ以上での液状潤滑剤皮膜を均一に塗布すればシール部のシール圧を高めなくてもガスの透過を防止することができ、また、チャックの開閉時にスライダーが重くなることも起こらない。
（４）雄鈎爪と雄鈎爪の内部に結合可能なシール部を設けたプラスチックチャックを押出成型する際に、チャックを押出成型した直後に本発明の方法で少なくとも０．０３０μｍ、望ましくは０．０５μｍ以上の厚さでの液状潤滑剤皮膜を均一に塗布すれば塗布時点でチャックの嵌合が可能となり、エージングが不要となるため、生産効率が著しく向上する。
【００６１】
なお、本発明における液状潤滑剤の塗布厚さの測定方法については以下に述べる実施例１、２において明らかにする。以下、本発明者が行った具体的な実施例を示す。
【実施例１】
【００６２】
実施例１は図３に示すような装置を用いて行われた。チャックテープ１１、１１′には、雄鈎爪と雄鈎爪の内部に結合可能なシール部を設けたプラスチックチャック〈ハイパック株式会社製のエクシールＥＸＳＡ−３１７〉（以下、チャックと称する）を用いた。
【００６３】
多孔質テープ２１として、幅５ｍｍ、厚さ約１ｍｍ、重量１．１ｇ／ｍのポリエステル不織布テープ〈モクバ株式会社製モクバスエードテープ＃１５０９Ｋ〉（以下、不織布テープと称する）を用いた。
【００６４】
液状潤滑剤としては、シリコーンオイル〈信越化学工業株式会社製信越シリコーン（食品添加物）ＫＲ−９６ＡＤＦ−１００ＣＳ（以下、シリコーンと称する）を用いた。
【００６５】
不織布テープは５．０ｍの長さのものを二本使用した。不織布テープのシリコーンに対する最大含浸率を測定すると３．９３であった。
【００６６】
シリコーンを酢酸エチルで希釈し７１％シリコーン溶液とし、これを二本の不織布テープに含浸させた後、酢酸エチルを完全に蒸発させた。乾燥後のシリコーン含浸不織布テープのシリコーン含浸率は６７％であった。
【００６７】
図３に例示した装置において二個のローラ３１、３１′に掛かる圧力をそれぞれ１５０ｇｆとし、チャックの速度を３０ｍ／ｍｉｎ、チャックの速度／不織布テープの速度の速度比を４４５に設定し、１０００ｍのチャックに塗布を行った。
【００６８】
シリコーン塗布量は１．３ｇであり、塗布後の不織布テープのシリコーンの含浸分布は均一であった。
【００６９】
一方、印刷用インキを利用して図３に示す装置においてチャックの雄雌鈎爪へのシリコーンの塗布面積を拡大鏡を用いた目視により測定するとチャック１ｍあたり１４０ｃｍ２であった。
【００７０】
この結果、チャックの鈎爪部に対するシリコーンの塗布厚さは平均０．０９８μｍで均一に塗布できたことが確認された。
【実施例２】
【００７１】
チャックの速度／不織布テープの速度の速度比を６３５に設定し、その他の条件は実施例１と同様に設定してチャック１０００ｍの塗布操作を行った。その結果、チャックの鈎爪部に対するシリコーンの塗布厚さは平均０．０７８μｍで均一に塗布できことが確認された。
【００７２】
実施例１および実施例２から、速度比を変えることによって塗布厚さを調整できると判断できた。
【符号の説明】
【００７３】
１１、１１′    チャックテープ
１２    雄爪構造
１２′  雌爪構造
２１    多孔質テープ
２１ａ、２１ｂ    多孔質テープの面
３１、３１′、３１″    ローラ
３３    重錘
３４    カバー
Ｖ１    チャックテープの移動速度
Ｖ２    多孔質テープの移動速度
Ｐ      接触圧力
θ      平面図で見た場合の交差角度
【図１】
2010162469.tif 000003
【図２】
2010162469.tif 000004
【図３】
2010162469.tif 000005